(57)【特許請求の範囲】
【請求項１】
可撓性を有する絶縁材料にて、屋外に架設された電線を含む線状又は棒状の設置対象物周囲を被覆可能に形成された被覆管と、
該被覆管周囲に突設された複数の凸状体と、
からなり、前記複数の凸状体によって、前記線状又は棒状の設置対象物に鳥が止まって害を及ぼすのを防止する鳥害防止具であって、
前記被覆管は、
前記線状又は棒状の設置対象物を被覆可能な中空筒状に形成され、側壁の一カ所が筒の中心軸方向に沿って切断された管本体部と、
該管本体部において前記中心軸方向に切断された前記側壁の両側から夫々外方向に延設され、外側程間隔が大きくなるように拡開した一対の案内部と、
からなり、
前記管本体部の中心軸と、管本体部の中心軸方向に沿って切断された隙間とを通過する面に投影した前記被覆管の形状は、前記管本体部の中心軸方向の幅が前記案内部側よりも前記管本体部側で長い台形であり、
前記案内部側よりも長い前記管本体部側の端部、かつ前記管本体部の中心軸方向両端には、夫々、当該被覆管の一端を他の前記被覆管に連結するための連結部を形成し、該連結部を介して、当該鳥害防止具を他の前記被覆管に連結可能に構成してなり、
前記連結部の一方は、他の前記被覆管に形成された連結穴に挿入固定するための固定部を先端に有し、前記被覆管の一端から前記中心軸と平行な方向に沿って突設された棒状の連結突起からなり、
前記連結部の他方は、他の前記被覆管に形成された固定部を挿入するための連結穴からなることを特徴とする鳥害防止具。
【請求項２】
前記複数の凸状体は、可撓性を有する絶縁材料にて長尺状に形成された板材の表面に、該板材の長手方向に沿って突出され、
前記板材の裏面には、前記被覆管に穿設された取付穴に挿入固定するための複数の結合突起が突設され、
前記被覆管の管本体部には、前記板材の裏面に突設された複数の結合突起を夫々挿入するための複数の取付穴が穿設されていることを特徴とする請求項１に記載の鳥害防止具。
【請求項３】
前記各凸状体は、前記板材の表面から垂直方向に突出した幹部と、当該各凸状体の配列方向に直交する方向に沿って前記幹部の両側から突出した一対の枝部と、からなることを特徴とする請求項２に記載の鳥害防止具。
【請求項４】
前記複数の凸状体は、前記可撓性を有する絶縁材料にて前記被覆管と一体形成されたことを特徴とする請求項１に記載の鳥害防止具。
【請求項５】
前記複数の凸状体は、前記被覆管を構成する管本体部の側壁に、当該管の中心軸と直交する方向に一列に配置することにより、該中心軸を中心として放射状に突設されていることを特徴とする請求項４記載の鳥害防止具。
【請求項６】
前記各凸状体は、前記管本体部の側壁から垂直方向に突出した幹部と、当該各凸状体の配列方向に直交する方向に沿って前記幹部の両側から突出した一対の枝部と、からなることを特徴とする請求項５記載の鳥害防止具。
【請求項７】
前記凸状体は、磁性体を含む絶縁材料からなることを特徴とする請求項１ないし請求項６のいずれかに記載の鳥害防止具。
【発明の詳細な説明】
【０００１】
【発明の属する技術分野】
本発明は、電線等、屋外に設置された線状或いは棒状の設置対象物に鳥が止まって害を及ぼすのを防止する鳥害防止具に関する。
【０００２】
【従来の技術】
電線に鳥が止まると、そこから糞等を落下させ、配電器機や周囲を通る人間、家屋等に害を及ぼす。そこで、従来より、鳥が電線に止まるのを防止する鳥害防止具が種々考えられている。
【０００３】
この種の鳥害防止具は、通常、電線を被覆できるように中空の筒状に形成された被覆管の周囲に、針状に形成された複数の凸状体を設け、この凸状体にて、鳥が電線に止まるのを邪魔するようにされている（例えば、実用新案登録３００４５７７６号等参照）。
【０００４】
尚、被覆管としては、ポリエチレン樹脂等で中空筒状に形成されたポリ管や、こうした中空筒状の管の側面を蛇腹状に形成した蛇腹管等が使用される。
【０００５】
【発明が解決しようとする課題】
しかしながら、こうした従来の被覆管では、直線状に張設された電線を被覆する際には、その取付作業を比較的簡単に行うことができるものの、例えば、電柱への電線の架設部分で、電線が張架用のワイヤを迂回するように湾曲している場合等に、その湾曲した電線の周囲に鳥害防止用の被覆管を設けることは難しいといった問題があった。
【０００６】
つまり、上述したポリ管は、直線状に張設された電線を被覆するためのものであり、湾曲した電線には設けることができない。また、蛇腹管は、湾曲した電線にも被覆できるようにしたものであるが、その材質や蛇腹の大きさ等によって折り曲げ可能な角度が制限され、自由に湾曲させることはできないので、電柱等への電線の架設部分で、湾曲した電線形状に合わせて蛇腹管を湾曲させることができない場合がある。
【０００７】
そして、このように被覆管にて電線を被覆できない箇所には、鳥害防止用の凸状体も設けることができないため、結局、従来の鳥害防止具では、電柱への架設部分で湾曲した電線には適用することができないという問題があった。
また、鳥害防止具は、上述した電線に限らず、例えば、電線架設のために電柱から張り出した支持腕等、屋外に配置される線状或いは棒状のもであれば使用できるが、これらの設置対象物が湾曲している場合には、電線が湾曲している場合と同様、使用することができない。
【０００８】
本発明は、こうした問題に鑑みなされたものであり、電線等、鳥害防止具を設置したい設置対象物が湾曲している場合であっても、その設置対象物に簡単に取り付けることのできる鳥害防止具を提供することを目的とする。
【０００９】
【課題を解決するための手段及び発明の効果】
かかる目的を達成するためになされた請求項１記載の発明は、可撓性を有する絶縁材料にて、屋外に架設された電線を含む線状又は棒状の設置対象物周囲を被覆可能に形成された被覆管と、該被覆管周囲に突設された複数の凸状体とからなり、前記複数の凸状体によって、前記線状又は棒状の設置対象物に鳥が止まって害を及ぼすのを防止する鳥害防止具であって、
前記被覆管は、前記線状又は棒状の設置対象物を被覆可能な中空筒状に形成され、側壁の一カ所が筒の中心軸方向に沿って切断された管本体部と、該管本体部において前記中心軸方向に切断された前記側壁の両側から夫々外方向に延設され、外側程間隔が大きくなるように拡開した一対の案内部とからなり、前記管本体部の中心軸と、管本体部の中心軸方向に沿って切断された隙間とを通過する面に投影した前記被覆管の形状は、前記管本体部の中心軸方向の幅が前記案内部側よりも前記管本体部側で長い台形であり、前記案内部側よりも長い前記管本体部側の端部、かつ前記管本体部の中心軸方向両端には、夫々、当該被覆管の一端を他の前記被覆管に連結するための連結部を形成し、該連結部を介して、当該鳥害防止具を他の前記被覆管に連結可能に構成してなり、前記連結部の一方は、他の前記被覆管に形成された連結穴に挿入固定するための固定部を先端に有し、前記被覆管の一端から前記中心軸と平行な方向に沿って突設された棒状の連結突起からなり、前記連結部の他方は、他の前記被覆管に形成された固定部を挿入するための連結穴からなることを特徴とする。
【００１０】
【００１１】
【００１２】
【００１３】
【００１４】
このように、請求項１記載の鳥害防止具においては、凸状体が設けられる被覆管が、側壁の一カ所が管の中心軸方向に沿って切断された中空筒状の管本体部と、この管本体部において管の中心軸方向に切断された側壁の両側から外方向に延設された案内部とから構成されているため、設置対象物を被覆する際、案内部の間に設置対象物を配置して、管本体部を設置対象物に向けて押し込むことにより、被覆管を設置対象物周囲に簡単に配置することができる。
【００１５】
そして、特に請求項１記載の鳥害防止具では、管本体部の中心軸方向両端に、夫々、被覆管の一端を他の被覆管に連結するための連結部を形成することにより、この連結部を介して、鳥害防止具を他の被覆管に連結できるようにしている。
よって、請求項１記載の鳥害防止具によれば、当該鳥害防止具を複数用い、その被覆管同士を連結部を介して互いに連結することにより、湾曲した設置対象物に対して簡単に取り付けることのできる鳥害防止具を実現できる。
【００１６】
つまり、請求項１記載の鳥害防止具を複数用いて、その被覆管同士を連結部を介して互いに連結する際、その連結部での被覆管同士の連結角度を調整すれば、連結後の被覆管全体の形状を任意の曲線形状にすることができる。よって、請求項１記載の鳥害防止具においても、湾曲した設置対象物に合わせて湾曲させた被覆管で覆い、その設置対象物周囲に凸状体を配置することができるようになる。
【００１７】
【００１８】
【００１９】
【００２０】
【００２１】
【００２２】
次に、請求項２記載の鳥害防止具は、上記請求項１に記載の鳥害防止具において、前記複数の凸状体は、可撓性を有する絶縁材料にて長尺状に形成された板材の表面に、該板材の長手方向に沿って突出され、前記板材の裏面には、前記被覆管に穿設された取付穴に挿入固定するための複数の結合突起が突設され、前記被覆管の管本体部には、前記板材の裏面に突設された複数の結合突起を夫々挿入するための複数の取付穴が穿設されていることを特徴とする。
【００２３】
このように請求項２記載の鳥害防止具では、被覆管周囲に設けられる複数の凸状体が、長尺状の板体に形成されており、この板体を、被覆管周囲に固定することにより、被覆管周囲に設けられる。また、板体は、複数の凸状体が設けられる表面とは反対側の裏面に設けられた複数の結合突起を、被覆管の管本体部に穿設された複数の取付穴に挿入することにより固定される。
【００２４】
このため、請求項２記載の鳥害防止具によれば、被覆管と凸状体とを別体で構成した従来の鳥害防止具のように、凸状体を被覆管に固定する際、接着剤や結束バンド等の固定具を別途用いる必要はなく、被覆管に対して、凸状体を、極めて簡単に（ワンタッチで）固定することができる。
【００２５】
また、例えば、凸状体の破損等によって、被覆管に設けられた凸状体を新しいものに交換するような場合には、板材裏面の結合突起を被覆管の取付穴から引き抜けばよく、凸状体の取り外し・交換作業も極めて簡単に行うことができる。
また更に、各凸状体は、板材の表面に、板材の長手方向に沿って順に突設されるていることから、板材の長さを長くすれば、板材の長手方向に、より多くの凸状体を配置することができる。よって、例えば、被覆管に対して、その軸方向に取り付ける場合、板材の長さを長くして板材に形成する凸状体を多くしておけば、管に取り付けるべき鳥害防止具の個数を減らすことができ、その結果、鳥害防止具を取り付ける時間と手間を削減することができる。
【００２６】
また、板材は、可撓性で長尺状の形状を有するため、被覆管の周方向に巻き付けるように取り付けることもできる。そして、このように板材を被覆管に巻き付けるようにすれば、被覆管の上方部だけでなく、その側方部や下方部にも凸状体を突出させることができる。そして、この場合、被覆管が設置対象物周囲で回転することがあっても、凸状体の少なくとも一つを被覆管の上方に向けることができるため、鳥が設置対象物に止まるのをより確実に防止することができる。
【００２７】
次に、請求項３記載の発明は、請求項２記載の鳥害防止具において、前記各凸状体は、前記板材の表面から垂直方向に突出した幹部と、当該各凸状体の配列方向に直交する方向に沿って前記幹部の両側から突出した一対の枝部と、からなることを特徴とする。
【００２８】
この請求項３記載の鳥害防止具においては、板材の長手方向に沿って順に板材から突出される凸状体の本体部（幹部）に、その配列方向に直交する方向に沿って一対の枝部を設けていることから、単に板材に凸状体を突設した場合に比べて、鳥が設置対象物に止まるのをより確実に防止することができる。
【００２９】
即ち、凸状体は可撓性であるため、大きな鳥に踏み倒される可能性があるが、請求項３記載の鳥害防止具によれば、本体部が鳥に踏み倒された場合には、本体部の横を向いていた枝部が上に向けられるため、鳥にとって居心地が悪く、その結果、鳥は退散することになり、鳥害防止効果を高めることができるのである。
【００３０】
尚、幹部の両側に枝部を複数対設けるようにすれば、鳥にとって障害物となる枝部が密接しあうことになるので、蜂鳥等の小鳥に対する鳥害防止効果を高めることができる。
また、枝部は必ずしも本体部側面から真横に突出させる必要がなく、鳥に本体部を踏み倒された場合に、枝部が鳥を退散させる効果を失わない範囲内で、斜設するようにしてもよい。さらに、一つの枝部から複数の枝を分岐させるようにしてもよい。
【００３１】
次に、請求項４記載の発明は、請求項１に記載の鳥害防止具において、前記複数の凸状体は、前記可撓性を有する絶縁材料にて前記被覆管と一体形成されたことを特徴とする。
即ち、請求項２に記載のように、被覆管と複数の凸状体とを別体で構成すると、被覆管と凸状体とを接続するための作業が必要となるため、請求項４記載の鳥害防止具では、被覆管と複数の凸状体とを絶縁材料にて一体形成することにより、こうした接続作業を不要にしたものである。
【００３２】
従って、請求項４記載の鳥害防止具によれば、凸状体が破損したような場合には、被覆管ごと交換する必要があるが、鳥害防止具を設置対象物に取り付ける際には、被覆管をそのまま設置対象物に取り付けるだけでよく、その取り付け作業をより簡単にすることができる。
【００３３】
また次に、請求項５記載の発明は、請求項４記載の鳥害防止具において、前記複数の凸状体は、前記被覆管を構成する管本体部の側壁に、当該管の中心軸と直交する方向に一列に配置することにより、該中心軸を中心として放射状に突設されていることを特徴とする。
【００３４】
この請求項５に記載の鳥害防止具によれば、複数の凸状体を被覆管と別体で構成して、各凸状体を突設した板材を被覆管の周方向に巻き付けた場合と同様、凸状体を、被覆管の上方部だけでなく、その側方部や下方部にも凸状体を突出させることができ、被覆管が設置対象物周囲で回転することがあっても、凸状体の少なくとも一つを被覆管の上方に向けて、鳥が設置対象物に止まるのを確実に防止することが可能になる。
【００３５】
また、請求項６記載の発明は、請求項５記載の鳥害防止具において、前記各凸状体は、前記管本体部の側壁から垂直方向に突出した幹部と、当該各凸状体の配列方向に直交する方向に沿って前記幹部の両側から突出した一対の枝部と、からなることを特徴とする。
【００３６】
このように、請求項６記載の鳥害防止具によれば、管本体部の側壁から突出させた凸状体の本体部（幹部）に、枝部を設けていることから、請求項３記載の鳥害防止具と同様、管本体部の側壁に単に凸状体を突出させた場合に比べて、鳥が設置対象物に止まるのを防止することができる。
【００３７】
また次に、請求項７記載の発明は、請求項１〜請求項６いずれか記載の鳥害防止具において、前記凸状体は、磁性体を含む絶縁材料からなることを特徴とする。
この請求項７記載の発明は、多くの鳥が磁性体を嫌うことに着目してなされたものであり、凸状体を、磁性体を含む絶縁材料にて構成することにより、鳥が設置対象物に止まるのをより確実に防止できるようにしている。従って、請求項７記載の鳥害防止具によれば、鳥害防止効果をより一層高めることができる。
【００３８】
尚、本発明（請求項１〜請求項７）の鳥害防止具は、電線に限らず、屋外に設置されて鳥が止まりやすい線状或いは棒状のものであれば、どのようなものにでも適用できる。例えば、電柱から張り出した電線架設用の支持腕、電線架設のために電柱から引き出されたケーブル、屋上やベランダに設けられた手摺り、物干し竿等、屋外に設置された線状物或いは棒状物であれば本発明を適用できる。そして、本発明によれば、上記のように、こうした設置対象物が湾曲している場合であっても、その湾曲形状に合わせて被覆管を湾曲させ、その周囲に、鳥害防止用の凸状体を配置することができるので、優れた鳥害防止効果を得ることができる。
【００３９】
【発明の実施の形態】
以下に、本発明の実施例を図面と共に説明する。
図１は本発明が適用された第一参考例の鳥害防止具１全体の構成を表す斜視図である。図１に示す如く、第一参考例の鳥害防止具１は、電線等の線状或いは棒状の設置対象物周囲を被覆することにより、当該鳥害防止具１を設置対象物周囲に固定するための被覆管１０と、この被覆管１０の周囲に突設された複数の凸状体２０とから構成される。
【００４０】
被覆管１０は、可撓性を有するポリエチレン樹脂等の合成樹脂にて形成された所謂ポリ管であり、その断面図を表す図２（ｂ）に示すように、中空円筒状に形成され、側壁の一カ所が筒の中心軸方向に沿って切断された管本体部１２と、該管本体部１２において中心軸方向に切断された側壁の両側１２ａ，１２ｂから、夫々、外方向に延設され、しかも、外側程間隔が大きくなるように拡開した一対の案内部１４ａ，１４ｂとから構成される。
【００４１】
また、被覆管１０の側面図を表す図２（ａ）に示すように、被覆管１０の側壁には、案内部１４ａ，１４ｂから管本体部１２にかけて、案内部１４ａ，１４ｂ側程間隔が大きくなるように、Ｖ字状の切り込み部１６が、被覆管１０の中心軸に沿って略等間隔に複数形成されている。
【００４２】
一方、被覆管１０に設けられる複数の凸状体２０は、所定個（第一参考例では、７個であり、図１では、この７個の凸状体のみを示す）毎に、長尺状に形成された板材３０の表面に突設されている。そして、各凸状体２０は、板材３０の長手方向に沿って一列に配置されている。
【００４３】
また、図３に示す如く、各凸状体２０は、板材３０の表面から垂直方向に突出した幹部２２と、この幹部２２の板材３０表面での配列方向と直交する方向に沿って各幹部２２の両側から突出された一対の枝部２４ａ，２４ｂとにより構成されている。
【００４４】
一方、板材３０の裏面（凸状体２０が突設された表面とは反対側の面）の長手方向両端には、図３に示す如く、被覆管１０の管本体部１２に穿設された取付穴１８（図１参照）に挿入固定するための結合突起３２が突設されている。結合突起３２は、板材３０の表面に突設された複数（７個）の凸状体２０をワンタッチで被覆管１０に固定するためのものであり、先端が矢の形状を有し、一旦取付穴１８に挿入すると、人が手を加えないかぎり容易に抜けない抜止防止構造となっている。
【００４５】
そして、これら板材３０，凸状体２０及び結合突起３２は、被覆管１０と同様、可撓性を有するポリエチレン樹脂等の合成樹脂にて一体成形されている。
このように構成された鳥害防止具１は、被覆管１０にて設置対象物を被覆することにより、設置対象物周囲に凸状体２０を配置し、この凸状体２０にて、鳥が設置対象物に止まるのを防止する。そして、本実施例では、被覆管１０には、管本体部１２から外方向に延設された案内部１４ａ，１４ｂが設けられているため、この案内部１４ａ，１４ｂの間に設置対象物を配置して、管本体部１２を設置対象物に向けて押し込むことにより、被覆管１０を設置対象物周囲にワンタッチで配設することができる。
【００４６】
また、被覆管１０には、その軸方向に等間隔で切り込み部１６が形成され、しかもこの切り込み部１６は、Ｖ字状に形成されていることから、被覆管１０は、この切り込み部１６が形成された部分で折り曲げることにより、任意の曲線形状に湾曲させることができる。
【００４７】
従って、第一参考例の鳥害防止具１によれば、鳥害防止用の凸状体２０を設置対象物周囲に配置するための被覆管１０を、設置対象物の形状に応じて自由に湾曲させることができ、この結果、鳥害防止具１を、湾曲した設置対象物に対して、極めて簡単に取り付けることが可能になる。
【００４８】
また、第一参考例では、被覆管１０の周囲に設ける複数の凸状体２０を、長尺状の板材３０の表面に形成して、板材３０を、その裏面に設けた結合突起３２を介して、被覆管１０に固定することにより、複数の凸状体２０を被覆管１０の周囲に着脱自在に固定できるようにされている。
【００４９】
このため、図１に示すように、被覆管１０の管本体部１２に板材３０の裏面に設けた複数の結合突起３２を夫々挿入固定するための取付穴１８を穿設しておくことにより、複数の凸状体２０をワンタッチで被覆管１０に固定することができる。
【００５０】
従って、第一参考例の鳥害防止具１によれば、凸状体２０を被覆管１０に設ける際、従来の鳥害防止具のように、結束バンド（例えばインシュロック：商品名）等を用いることなく、極めて簡単な作業で、凸状体２０を被覆管１０に設けることができる。
【００５１】
また、凸状体２０は、板材３０を介して、被覆管１０に着脱自在に固定されることから、凸状体２０が破損した場合等には、被覆管１０を設置対象物周囲に配置したまま、凸状体２０のみを交換することができる。つまり、凸状体２０を被覆管１０から取り外す際には、板材３０の裏面に設けられた結合突起３２を被覆管１０の取付穴１８から引き抜けばよく、凸状体２０を簡単に交換できる。
【００５２】
尚、第一参考例の鳥害防止具１においては、７個の凸状体２０を板材３０に形成することにより、７個の凸状体２０を、板材３０を介して、ワンタッチで被覆管１０に固定できるようにしているが、板材３０は可撓性を有する合成樹脂にて形成されているので、図４に示すように、被覆管１０の周囲に、その外周に沿って巻き付けるように固定することもできる。そして、このように、板材３０を被覆管１０に巻き付けるようにすれば、７個の凸状体２０を被覆管１０の中心軸を中心として放射状に配置し、被覆管１０の上方だけでなく、側方や下方にも凸状体２０を突出させることができる。よって、このようにすれば、被覆管１０が設置対象物周囲で回転しても、凸状体２０の少なくとも１つを被覆管１０の上方に向けることができ、鳥害防止効果をより確実に発揮することができる。
【００５３】
但し、このように板材３０を被覆管１０に巻き付ける際には、取付穴１８を、被覆管１０の管本体部１２において、案内部１４ａ，１４ｂの延設部分付近に穿設する必要はある。
また特に、第一参考例の鳥害防止具１においては、各凸状体２０を、幹部２２とその両側から突出した一対の枝部２４ａ，２４ｂとにより構成していることから、鳥が設置対象物に止まるのを一層防止することができる。即ち、凸状体２０は、板材３０と共に可撓性の合成樹脂にて形成されているため、大きな鳥に踏み倒される可能性があるが、本実施例では、凸状体２０の幹部２２が鳥に踏み倒された場合に、幹部２２の横を向いていた枝部２４ａ又は２４ｂが上方に向けられるため、鳥にとって居心地が悪く、その結果、鳥は退散することになる。
【００５４】
次に、図５は、本発明の実施例の鳥害防止具４０を表し、図５（ａ）は、この鳥害防止具４０全体の構成を表す斜視図であり、図５（ｂ）は、図５（ａ）に示す中心軸４０ａに沿って鳥害防止具４０を垂直方向に切断した断面及びその使用方法を説明する説明図である。
【００５５】
本実施例の鳥害防止具４０は、上記参考例の凸状体２０と同様に形成された５個の凸状体５０を、被覆管６０の周囲に、その中心軸４０ａを中心に放射状に突設したものであり、被覆管６０と凸状体５０とは、可撓性を有するポリエチレン樹脂等の合成樹脂にて一体形成されている。
【００５６】
そして、被覆管６０は、上記第一参考例の被覆管１０と同様、中空円筒状に形成され、側壁の一カ所が筒の中心軸方向に沿って切断された管本体部６２と、該管本体部６２において中心軸方向に切断された側壁の両側から、夫々、外方向に延設され、しかも、外側程間隔が大きくなるように拡開した一対の案内部６４ａ，６４ｂとから構成されている。
【００５７】
一方、本実施例の被覆管６０の中心軸に沿った長さは、第一参考例の被覆管１０の切り込み部１６の間隔と同等又はそれよりも短くなっている。そして、被覆管６０において、案内部６４ａ，６４ｂが延設された側壁部分と対向する上方の側壁部分は、他の部分よりも肉厚に形成されており、この肉厚部分６６の一方の開口端側には、先端部分に他の被覆管に形成された連結穴に挿入固定するための固定部７２を有する棒状の連結突起７４が、被覆管６０の中心軸方向に突設されており、肉厚部分６６の他方の開口端側には、他の被覆管に突設された連結突起先端の固定部を挿入するための連結穴７６が形成されている。
【００５８】
このように構成された本実施例の鳥害防止具４０は、図５（ｂ）に点線で示すように、同一形状に構成された他の鳥害防止具と共に使用される。
即ち、被覆管６０の一方の開口端から突出した連結突起７４の先端部分（つまり固定部７２）を、他の鳥害防止具を構成する被覆管６０の開口端に形成された連結穴７６に挿入し、被覆管６０の他方の開口端に形成された連結穴７６に、他の鳥害防止具を構成する被覆管の開口端から突出された連結穴７６の先端（つまり固定部７２）を挿入することにより、被覆管６０を他の鳥害防止具の被覆管と共に連結し、その連結した鳥害防止具同士で一つの鳥害防止具を形成する。
【００５９】
そして、このように被覆管６０同士を連結することにより構成される鳥害防止具全体では、連結突起７４の長さに対応した所定間隔で被覆管６０同士が連結されることになり、連結された被覆管６０全体を任意の曲線形状にすることができる。従って、本実施例の鳥害防止具４０においても、第一参考例の鳥害防止具と同様、設置対象物が湾曲していても、その設置対象物周囲に凸状体５０を簡単に配置することができる。
【００６０】
尚、図５に示した鳥害防止具４０は、連結突起７４の長さを、被覆管６０同士を間隔を開けて連結できるように設定することにより、連結突起７４を介して２つの鳥害防止具４０を連結した際、各鳥害防止具４０の被覆管６０の間に隙間ができて、被覆管６０同士の連結角度を任意に設定できるようにしているが、連結突起７４は、必ずしも長くする必要はなく、図６に示すように、被覆管６０同士を間隔を開けずに連結できる長さにしてもよい。
【００６１】
但し、この場合には、管本体部６２の外観が円柱形状となるように、その両端（開口端）を平行にすると、連結突起７４を介して２つの鳥害防止具４０を連結した際、各鳥害防止具４０の被覆管６０の間に隙間ができず、被覆管６０同士の連結角度を調整する際に、被覆管６０同士が当たってしまうことから、図６に示すように、管本体部６２を横から見た側面形状を、連結突起７４及び連結穴７６が形成される肉厚部分６６が案内部６４ａ，６４ｂ側よりも長い台形形状にするとよい。
【００６２】
つまり、このように管本体部６２の両開口端を傾斜させれば、連結突起７４を介して連結される連結部分では、被覆管６０同士が接触するが、この連結部分から離れた位置では、被覆管６０の間に隙間ができて、被覆管６０同士の連結角度を任意に設定できるようになる。
【００６３】
次に、図７は、本発明の第二参考例の鳥害防止具４０′を表し、図７（ａ）は、この鳥害防止具４０′全体の構成を表す斜視図であり、図７（ｂ）は、図７（ａ）に示す中心軸４０ａに沿って鳥害防止具４０′を垂直方向に切断した断面及びその使用方法を説明する説明図である。
【００６４】
第二参考例の鳥害防止具４０′は、図５に示した実施例の鳥害防止具４０の変形例であり、実施例の鳥害防止具４０からの変更点は、管本体部６２に形成される固定部７２，連結突起７４の形状及び連結穴７６の穿設位置だけである。そこで、以下の説明では、第二参考例の鳥害防止具４０′を、実施例の鳥害防止具４０との異なる点についてのみ説明し、実施例の鳥害防止具４０と同じ箇所については、図面に実施例の鳥害防止具４０と同一の符号を付与し、説明を省略する。
【００６５】
図７に示す如く、第二参考例の鳥害防止具４０′においては、管本体部６２の両開口端から板状の連結突起８４，８８が突設されおり、一方の連結突起８４には、管本体部６２の中心軸４０ａに向けて、固定部８２が突設され、他方の連結突起８８には、他の鳥害防止具の固定部を挿入するための連結穴８６が穿設されている。固定部８２は、先端が矢の形状をした抜止防止構造となっている。尚、これら各連結突起８４，８８の各開口端への突設位置は、被覆管６０において案内部６４ａ，６４ｂが延設された側壁部分と対向した位置になっている。
【００６６】
このように構成された第二参考例の鳥害防止具４０′によれば、実施例の鳥害防止具４０と同様、連結穴８６及び固定部８２を使って、他の鳥害防止具と連結することができる。そして、本実施例の鳥害防止具４０′では、連結穴８６及び固定部８２が、夫々、管本体部６２の開口端に突設された板状の連結突起８４，８８に形成され、他の鳥害防止具と連結した際、この連結突起８４，８８の長さによって、被覆管６０同士を所定の間隔を空けて連結でき、連結した被覆管全体を任意の曲線形状にすることができる。従って、本第二参考例の鳥害防止具４０′においても、第一参考例・実施例の鳥害防止具と同様、設置対象物が湾曲していても、その設置対象物周囲に凸状体５０を簡単に配置することができる。
【００６７】
尚、図７に示した第二参考例の鳥害防止具４０′では、固定部８２だけでなく、他の鳥害防止具の固定部を挿入するための連結穴８６についても、板状に形成した連結突起８８に形成するものとしたが、連結穴８６は必ずしも連結突起８８に形成する必要はなく、図８に示すように、管本体部６２に穿設するようにしてもよい。また、板状の連結突起８４に設ける固定部８２についても、必ずしも管本体部６２の中心軸に向けて形成する必要はなく、図８に示すように、管本体部６２の外方向に向けて形成するようにしてもよい。
【００６８】
そして、図８に示すように、連結穴８６を管本体部６２に穿設した場合、この管本体部６２に挿入される他の鳥害防止具の固定部が形成された連結突起の長さが短ければ、その連結部分で、２つの鳥害防止具の被覆管６０同士が隙間なく接続されることになるが、このような場合には、図６に示した鳥害防止具４０と同様、管本体部６２を横から見た側面形状が台形形状となるように、管本体部６２を形成すればよい。
【００６９】
以上、本発明の実施例について説明したが、本発明は上記実施例に限定されるものでなく、種々の態様を採ることができる。
例えば、上記実施例では、被覆管及び凸状体は、全て合成樹脂にて構成されるものとして説明したが、これら各部は、可撓性を有する絶縁性の材料にて構成されていればよく、例えば、合成ゴム等を使用することができる。また、例えば、ゴム磁石のように、磁性体を用いた絶縁材料を用いてもよい。そして、この場合、多くの鳥が磁性体を嫌うことから、磁性体の作用によっても設置対象物に鳥が止まるのをより確実に防止することができる。
【００７０】
次に、また凸状体の形態としては種々考えられるが、例えば、幹部の側面から枝部を複数対分岐させるようにしてもよい。こうすれば、鳥が本体部を踏み倒しても、横を向いていた複数対の枝部が、上方に向けることができるので、枝部７を一対にしたものよりも鳥を退散させる効果が高く、かなり小さな鳥でも寄せつけない。また、枝部は、必ずしも幹部側面から真横に突出させる必要がなく、その突出方向としては、鳥に幹部を踏み倒された場合に鳥を退散させる効果を失わない範囲内で、任意の方向に設定すればよい。さらに、一対の枝部から複数の枝を分岐させるようにしてもよい。
【００７１】
また、凸状体は、必ずしも枝部を分岐する必要がなく、幹部だけでもよい。この場合、本体部の本数を増やしてやることで、鳥にとって障害物となる幹部を密接するようにしてもよい。また特に、第一参考例のように、凸状体を、板材を介して被覆管に着脱可能に取り付けるようにした場合には、被覆管に複数の取付穴を設け、管の長手方向に沿って、凸状体を設けた板材を並列に複数個並べるようにしてもよい。
【００７２】
また、第一参考例において、板材３０は、長方形（長尺状）の形状として説明してきたが、必ずしも長方形である必要がなく、細長い形状であれば、例えば、菱形や楕円等であってもよい。
また、更に、上記実施例では、被覆管は、単に中空筒状の管本体部を備えるものとして説明したが、この管本体部は、側壁を蛇腹状にした、蛇腹管にしてもよく、この場合にも、上記実施例と同様の効果を得ることができる。
【図面の簡単な説明】
【図１】  第一参考例の鳥害防止具の構成を表す斜視図である。
【図２】  第一参考例の鳥害防止具の被覆管の構成を表す説明図である。
【図３】  第一参考例の凸状体及びこれを被覆管に取り付ける板材の構成を表す説明図である。
【図４】  第一参考例の凸状体の被覆管への取付状態の他の例を表す説明図である。
【図５】  実施例の鳥害防止具の構成を表す説明図である。
【図６】  実施例の鳥害防止具の変形例を表す説明図である。
【図７】  第二参考例の鳥害防止具の構成を表す説明図である。
【図８】  第二参考例の鳥害防止具の変形例を表す説明図である。
【符号の説明】
１，４０，４０′…鳥害防止具  １０，６０…被覆管  １２，６２…管本体部  １４ａ，１４ｂ，６４ａ，６４ｂ…案内部  １６…切り込み部  １８…取付穴  ２０，５０…凸状体  ２２…幹部  ２４ａ，２４ｂ…枝部  ３０…板材  ３２…結合突起  ６６…肉厚部分  ７２，８２…固定部  ７４，８４，８８…連結突起  ７６，８６…連結穴。
【図１】
0003901362.tif 000002
【図２】
0003901362.tif 000003
【図３】
0003901362.tif 000004
【図４】
0003901362.tif 000005
【図５】
0003901362.tif 000006
【図６】
0003901362.tif 000007
【図７】
0003901362.tif 000008
【図８】
0003901362.tif 000009